(57)【要約】  干渉抑圧効果を向上させ、被干渉側の干渉を低減する受信装置及び受信方法を提供する。衛星信号復調部（２０１）は、受信衛星信号の復調及びＣＲＣ判定を行い、衛星信号変調部（２０２）は、衛星信号復調部（２０１）から出力された復調結果を変調する。加算器（２０３）は、受信衛星信号から衛星信号変調部（２０２）の出力信号を減算し、出力切替部（２０４）は、衛星信号復調部（２０１）から出力されたＣＲＣ判定結果がＯＫの場合、加算器（２０３）から出力された信号をＩＭＴ送信装置（１００）へフィードバックする。また、ＣＲＣ判定結果がＮＧの場合、出力切替部（２０４）は受信衛星信号をＩＭＴ送信装置（１００）へフィードバックする。
2010097863.tif 000002
【特許請求の範囲】
【請求項１】
受信した信号を復調する復調手段と、
復調した信号を変調する変調手段と、
受信した前記信号から変調した信号を減算する加算手段と、
減算結果を与干渉側の送信装置にフィードバックする送信手段と、
を具備する受信装置。
【請求項２】
前記送信手段は、復調した前記信号に誤りがない場合、前記減算結果を与干渉側の送信装置にフィードバックする請求項１に記載の受信装置。
【請求項３】
前記送信手段は、復調した前記信号に誤りがある場合、受信した前記信号を与干渉側の送信装置にフィードバックする請求項１に記載の受信装置。
【請求項４】
受信した信号を復調する復調工程と、
復調した信号を変調する変調工程と、
受信した前記信号から変調した信号を減算する加算工程と、
減算結果を与干渉側の送信装置にフィードバックする送信工程と、
を具備する受信方法。
【発明の詳細な説明】
【技術分野】
【０００１】
本発明は、受信装置及び受信方法に関する。
【背景技術】
【０００２】
２００７年末に開催された世界無線通信会議（WRC-07）にて、ＩＭＴ−Ａｄｖａｎｃｅｄの移動通信サービス用に新たな周波数帯の割り当てが行われた。これにより、世界１００カ国以上の国々が３．４〜３．６ＧＨｚ帯をＩＭＴ−Ａｄｖａｎｃｅｄのサービスに使用することを表明し、この周波数帯は事実上の移動通信用国際周波数となった。【０００３】
この帯域は、Ｃ−ｂａｎｄと呼ばれ、依然として固定衛星通信（FSS: Fixed Satellite Service）において活用されており、主に降雨減衰の激しい赤道直下の国々や広大な国土を有する国々では、テレビ放送や災害時の緊急回線として使用されている。このような国々では、ＦＳＳは重要な通信手段となっている。したがって、ＩＭＴ−ＡｄｖａｎｃｅｄではＦＳＳと同一周波数を共用するにあたり、ＦＳＳへ干渉を与えないようにする必要がある。【０００４】
同一周波数の他システムに干渉を与えない方法の１つとして、ノイズキャンセラによる干渉抑圧処理が考えられる。このような技術が非特許文献１などに開示されている。非特許文献１には、被干渉側の受信局での干渉信号を与干渉側の送信局へフィードバックし、送信局はフィードバックされた信号に基づいて、干渉抑圧用の適応フィルタの係数を繰り返し更新することにより、被干渉側への干渉を低減することが開示されている（図１参照）。
【先行技術文献】
【非特許文献】
【０００５】
【非特許文献１】飯國洋二著、「適応信号処理アルゴリズム」、培風館
【発明の概要】
【発明が解決しようとする課題】
【０００６】
図１のような処理を実環境に適用することを考えた場合、被干渉側からのフィードバック信号には干渉信号のみならず、被干渉側用の通信信号（衛星からの信号）が含まれてしまう。送信局は干渉信号以外の信号が含まれたフィードバック信号を用いて適応フィルタを更新すると、収束特性が劣化し、これにより干渉抑圧効果が劣化してしまう。【０００７】
本発明の目的は、干渉抑圧効果を向上させ、被干渉側の干渉を低減する受信装置及び受信方法を提供することである。
【課題を解決するための手段】
【０００８】
本発明の受信装置は、受信した信号を復調する復調手段と、復調した信号を変調する変調手段と、受信した前記信号から変調した信号を減算する加算手段と、減算結果を与干渉側の送信装置にフィードバックする送信手段と、を具備する構成を採る。【０００９】
本発明の受信方法は、受信した信号を復調する復調工程と、復調した信号を変調する変調工程と、受信した前記信号から変調した信号を減算する加算工程と、減算結果を与干渉側の送信装置にフィードバックする送信工程と、を具備するようにした。
【発明の効果】
【００１０】
本発明によれば、干渉抑圧効果を向上させ、被干渉側の干渉を低減することができる。
【図面の簡単な説明】
【００１１】
【図１】非特許文献１に開示のノイズキャンセラによる干渉抑圧処理を示す図
【図２】本発明の一実施の形態に係るＩＭＴ送信装置の構成を示すブロック図
【図３】本発明の一実施の形態に係るＦＳＳ受信装置の構成を示すブロック図
【図４】干渉抑圧効果が改善する様子を示す図
【図５】本発明の一実施の形態に係るＩＭＴ送信装置の他の構成を示すブロック図
【発明を実施するための形態】
【００１２】
以下、本発明の実施の形態について、図面を参照して詳細に説明する。
【００１３】
（一実施の形態）
図２は、本発明の一実施の形態に係るＩＭＴ送信装置１００の構成を示すブロック図である。この図において、ＩＭＴ送信装置１００は、ＩＭＴ−Ａｄｖａｎｃｅｄの送信処理を行い、ＩＭＴ−Ａｄｖａｎｃｅｄ送信信号を送信する。また、ＩＭＴ送信装置１００は、ＦＳＳ受信装置から送信されたフィードバック信号に基づいて、適応フィルタを更新し、ＦＳＳ受信装置で干渉を低減する信号を送信する。
【００１４】
図３は、本発明の一実施の形態に係るＦＳＳ受信装置２００の構成を示すブロック図である。この図において、衛星信号復調部２０１は、受信した衛星信号（受信衛星信号）の復調及びＣＲＣ判定を行い、復調結果を衛星信号変調部２０２に出力し、ＣＲＣ判定結果を出力切替部２０４に出力する。
【００１５】
衛星信号変調部２０２は、衛星信号復調部２０１から出力された復調結果を変調し、加算器２０３に出力する。
【００１６】
加算器２０３は、受信衛星信号から衛星信号変調部２０２の出力信号を減算（キャンセル）し、減算結果を出力切替部２０４に出力する。この減算結果は、ＩＭＴ送信装置１００から送信された干渉信号を主に含むことになる。
【００１７】
出力切替部２０４は、衛星信号復調部２０１から出力されたＣＲＣ判定結果がＯＫの場合、加算器２０３から出力された信号をＩＭＴ送信装置１００へフィードバックする。一方、ＣＲＣ判定結果がＮＧの場合、出力切替部２０４は受信衛星信号をＩＭＴ送信装置１００へフィードバックする。ここで、ＣＲＣ判定結果がＮＧの場合、受信衛星信号をそのままフィードバックするのは、誤った復調結果を用いて受信衛星信号のキャンセル処理を行うと、干渉抑圧効果を劣化させてしまうためである。
【００１８】
このようにＦＳＳ受信装置２００からＩＭＴ送信装置１００へフィードバックすることにより、ＦＳＳ受信装置２００における干渉電力を低減することができる。この様子を図４に示す。図４において、縦軸はＦＳＳ ＥＳ干渉電力［ｄＢｍ］を示し、横軸は適応フィルタの更新回数を示す。また、太線はＦＳＳ受信装置２００における性能を表し、細線は非特許文献１等に記載の被干渉側の受信局における性能を表している。
【００１９】
このように本実施の形態によれば、受信衛星信号のＣＲＣ判定結果がＯＫの場合、復調した受信衛星信号を変調し、変調した衛星信号を受信衛星信号から減算した信号をＩＭＴ送信装置１００にフィードバックし、受信衛星信号のＣＲＣ判定結果がＮＧの場合、受信衛星信号をＩＭＴ送信装置にフィードバックすることにより、干渉抑圧効果を向上させ、被干渉側であるＦＳＳ受信装置における干渉を低減することができる。
【００２０】
なお、本実施の形態では、受信衛星信号のＣＲＣ判定結果に応じて、フィードバック信号を切り替えるものとして説明したが、ＦＳＳ受信装置が受信衛星信号をフィードバックし、図５に示すように、ＩＭＴ送信装置がフィードバックされた受信衛星信号の復調及びＣＲＣ判定を行い、ＣＲＣ判定結果に応じて、復調した受信衛星信号を変調した信号を受信衛星信号から減算した信号か、フィードバックされた受信衛星信号を適応フィルタに出力するようにしてもよい。
【００２１】
２００９年２月２６日出願の特願２００９−０４４５９７の日本出願に含まれる明細書、図面及び要約書の開示内容は、すべて本願に援用される。
【産業上の利用可能性】
【００２２】
本発明にかかる受信装置及び受信方法は、ＦＳＳシステム等に適用できる。
【図１】
2010097863.tif 000003
【図２】
2010097863.tif 000004
【図３】
2010097863.tif 000005
【図４】
2010097863.tif 000006
【図５】
2010097863.tif 000007
【手続補正書】
【提出日】平成23年6月2日(2011.6.2)
【手続補正１】
【補正対象書類名】明細書
【補正対象項目名】全文
【補正方法】変更
【補正の内容】
【発明の詳細な説明】
【技術分野】
【０００１】
本発明は、受信装置及び受信方法に関する。
【背景技術】
【０００２】
２００７年末に開催された世界無線通信会議（WRC-07）にて、ＩＭＴ−Ａｄｖａｎｃｅｄの移動通信サービス用に新たな周波数帯の割り当てが行われた。これにより、世界１００カ国以上の国々が３．４〜３．６ＧＨｚ帯をＩＭＴ−Ａｄｖａｎｃｅｄのサービスに使用することを表明し、この周波数帯は事実上の移動通信用国際周波数となった。
【０００３】
この帯域は、Ｃ−ｂａｎｄと呼ばれ、依然として固定衛星通信（FSS: Fixed Satellite
Service）において活用されており、主に降雨減衰の激しい赤道直下の国々や広大な国土を有する国々では、テレビ放送や災害時の緊急回線として使用されている。このような国々では、ＦＳＳは重要な通信手段となっている。したがって、ＩＭＴ−ＡｄｖａｎｃｅｄではＦＳＳと同一周波数を共用するにあたり、ＦＳＳへ干渉を与えないようにする必要がある。
【０００４】
同一周波数の他システムに干渉を与えない方法の１つとして、ノイズキャンセラによる干渉抑圧処理が考えられる。このような技術が非特許文献１などに開示されている。非特許文献１には、被干渉側の受信局での干渉信号を与干渉側の送信局へフィードバックし、送信局はフィードバックされた信号に基づいて、干渉抑圧用の適応フィルタの係数を繰り返し更新することにより、被干渉側への干渉を低減することが開示されている（図１参照）。
【先行技術文献】
【非特許文献】
【０００５】
【非特許文献１】飯國洋二著、「適応信号処理アルゴリズム」、培風館
【発明の概要】
【発明が解決しようとする課題】
【０００６】
図１のような処理を実環境に適用することを考えた場合、被干渉側からのフィードバック信号には干渉信号のみならず、被干渉側用の通信信号（衛星からの信号）が含まれてしまう。送信局は干渉信号以外の信号が含まれたフィードバック信号を用いて適応フィルタを更新すると、収束特性が劣化し、これにより干渉抑圧効果が劣化してしまう。
【０００７】
本発明の目的は、干渉抑圧効果を向上させ、被干渉側の干渉を低減する受信装置及び受信方法を提供することである。
【課題を解決するための手段】
【０００８】
本発明の受信装置は、受信した信号を復調する復調手段と、復調した信号を変調する変調手段と、受信した前記信号から変調した信号を減算する加算手段と、減算結果を与干渉側の送信装置にフィードバックする送信手段と、を具備する構成を採る。
【０００９】
本発明の受信方法は、受信した信号を復調する復調工程と、復調した信号を変調する変調工程と、受信した前記信号から変調した信号を減算する加算工程と、減算結果を与干渉側の送信装置にフィードバックする送信工程と、を具備するようにした。
【発明の効果】
【００１０】
本発明によれば、干渉抑圧効果を向上させ、被干渉側の干渉を低減することができる。
【図面の簡単な説明】
【００１１】
【図１】非特許文献１に開示のノイズキャンセラによる干渉抑圧処理を示す図
【図２】本発明の一実施の形態に係るＩＭＴ送信装置の構成を示すブロック図
【図３】本発明の一実施の形態に係るＦＳＳ受信装置の構成を示すブロック図
【図４】干渉抑圧効果が改善する様子を示す図
【図５】本発明の一実施の形態に係るＩＭＴ送信装置の他の構成を示すブロック図
【発明を実施するための形態】
【００１２】
以下、本発明の実施の形態について、図面を参照して詳細に説明する。
【００１３】
（一実施の形態）
図２は、本発明の一実施の形態に係るＩＭＴ送信装置１００の構成を示すブロック図である。この図において、ＩＭＴ送信装置１００は、ＩＭＴ−Ａｄｖａｎｃｅｄの送信処理を行い、ＩＭＴ−Ａｄｖａｎｃｅｄ送信信号を送信する。また、ＩＭＴ送信装置１００は、ＦＳＳ受信装置から送信されたフィードバック信号に基づいて、適応フィルタを更新し、ＦＳＳ受信装置で干渉を低減する信号を送信する。
【００１４】
図３は、本発明の一実施の形態に係るＦＳＳ受信装置２００の構成を示すブロック図である。この図において、衛星信号復調部２０１は、受信した衛星信号（受信衛星信号）の復調及びＣＲＣ判定を行い、復調結果を衛星信号変調部２０２に出力し、ＣＲＣ判定結果を出力切替部２０４に出力する。
【００１５】
衛星信号変調部２０２は、衛星信号復調部２０１から出力された復調結果を変調し、加算器２０３に出力する。
【００１６】
加算器２０３は、受信衛星信号から衛星信号変調部２０２の出力信号を減算（キャンセル）し、減算結果を出力切替部２０４に出力する。この減算結果は、ＩＭＴ送信装置１００から送信された干渉信号を主に含むことになる。
【００１７】
出力切替部２０４は、衛星信号復調部２０１から出力されたＣＲＣ判定結果がＯＫの場合、加算器２０３から出力された信号をＩＭＴ送信装置１００へフィードバックする。一方、ＣＲＣ判定結果がＮＧの場合、出力切替部２０４は受信衛星信号をＩＭＴ送信装置１００へフィードバックする。ここで、ＣＲＣ判定結果がＮＧの場合、受信衛星信号をそのままフィードバックするのは、誤った復調結果を用いて受信衛星信号のキャンセル処理を行うと、干渉抑圧効果を劣化させてしまうためである。
【００１８】
このようにＦＳＳ受信装置２００からＩＭＴ送信装置１００へフィードバックすることにより、ＦＳＳ受信装置２００における干渉電力を低減することができる。この様子を図４に示す。図４において、縦軸はＦＳＳ ＥＳ干渉電力［ｄＢｍ］を示し、横軸は適応フィルタの更新回数を示す。また、太線はＦＳＳ受信装置２００における性能を表し、細線は非特許文献１等に記載の被干渉側の受信局における性能を表している。
【００１９】
このように本実施の形態によれば、受信衛星信号のＣＲＣ判定結果がＯＫの場合、復調した受信衛星信号を変調し、変調した衛星信号を受信衛星信号から減算した信号をＩＭＴ送信装置１００にフィードバックし、受信衛星信号のＣＲＣ判定結果がＮＧの場合、受信衛星信号をＩＭＴ送信装置にフィードバックすることにより、干渉抑圧効果を向上させ、被干渉側であるＦＳＳ受信装置における干渉を低減することができる。
【００２０】
なお、本実施の形態では、受信衛星信号のＣＲＣ判定結果に応じて、フィードバック信号を切り替えるものとして説明したが、ＦＳＳ受信装置が受信衛星信号をフィードバックし、図５に示すように、ＩＭＴ送信装置がフィードバックされた受信衛星信号の復調及びＣＲＣ判定を行い、ＣＲＣ判定結果に応じて、復調した受信衛星信号を変調した信号を受信衛星信号から減算した信号か、フィードバックされた受信衛星信号を適応フィルタに出力するようにしてもよい。
【００２１】
２００９年２月２６日出願の特願２００９−０４４５９７の日本出願に含まれる明細書、図面及び要約書の開示内容は、すべて本願に援用される。
【産業上の利用可能性】
【００２２】
本発明にかかる受信装置及び受信方法は、ＦＳＳシステム等に適用できる。
【手続補正２】
【補正対象書類名】特許請求の範囲
【補正対象項目名】全文
【補正方法】変更
【補正の内容】
【特許請求の範囲】
【請求項１】
受信した信号を復調する復調手段と、
復調した信号を変調する変調手段と、
受信した前記信号から変調した信号を減算する加算手段と、
減算結果を与干渉側の送信装置にフィードバックする送信手段と、
を具備する受信装置。
【請求項２】
前記送信手段は、復調した前記信号に誤りがない場合、前記減算結果を与干渉側の送信装置にフィードバックする請求項１に記載の受信装置。
【請求項３】
前記送信手段は、復調した前記信号に誤りがある場合、受信した前記信号を与干渉側の送信装置にフィードバックする請求項１に記載の受信装置。
【請求項４】
受信した信号を復調する復調工程と、
復調した信号を変調する変調工程と、
受信した前記信号から変調した信号を減算する加算工程と、
減算結果を与干渉側の送信装置にフィードバックする送信工程と、
を具備する受信方法。
【手続補正３】
【補正対象書類名】図面
【補正対象項目名】全図
【補正方法】変更
【補正の内容】
【図１】
2010097863.tif 000008
【図２】
2010097863.tif 000009
【図３】
2010097863.tif 000010
【図４】
2010097863.tif 000011
【図５】
2010097863.tif 000012
【国際調査報告】
2010097863.tif 000013
2010097863.tif 000014
2010097863.tif 000015
2010097863.tif 000016